(57)【要約】【課題】既設サッシ枠を残存したままで、その既設サッシの開口幅よりも大きな開口幅の新設サッシに改装できるようにする。【解決手段】既設サッシ枠３が残存した建物躯体１の室外側面１ａに開口見付け寸法の大きな新設サッシ枠１０を取付け、この新設サッシ枠１０に見付け寸法の大きな可動障子１４と見付け寸法の小さな固定障子１５を見付けることで、その新設サッシ枠１０の開口幅を既設サッシの開口幅よりも大きくできるようにした改装サッシとする。【選択図】　　　　図２
2004124618.tif 000002
【特許請求の範囲】
【請求項１】
建物躯体のサッシ取付開口部に既設サッシ枠が残存し、
前記建物躯体の室外側面に、前記既設サッシ枠の開口見付け寸法よりも大きな開口見付け寸法の新設サッシ枠が取付けてあり、
この新設サッシ枠に障子が面内方向に開閉移動自在に装着されてスライデイングタイプの新設サッシを構成し、
前記面内方向に開閉移動する障子の見付け寸法は、前記新設サッシ枠の開口見付け寸法の半分程度で、既設サッシ枠の開口見付け寸法の半分よりも大きいことを特徴とする改装サッシ。
【請求項２】
新設サッシ枠の室外側部に可動障子が面内方向に開閉移動自在に装着され、室内側部に固定障子が固定されて片引き式のスライデイングタイプの改装サッシとし、
前記固定障子は既設サッシ枠の面内方向一端寄り部分を覆い、
前記開放した可動障子は建物躯体の室外側面と対向し、かつ固定障子の室外側面と重なり合うようにした請求項１記載の改装サッシ。
【請求項３】
新設サッシ枠の一方の縦枠は一方の既設縦枠と面内方向とほぼ同一位置で、他方の縦枠は他方の既設縦枠と面内方向に離隔した位置であり、固定障子の見付け寸法は既設サッシ枠の開口見付け寸法の半分以下で、その固定障子の見付け方向一端部が他方の既設縦枠と面内方向にほぼ同一位置で、見付け方向他端部が一方の既設縦枠寄り位置として固定してあり、
可動障子を閉じた時に、その召合せ部が固定障子の見付け方向他端部と重なり合うようにした請求項２記載の改装サッシ。
【請求項４】
新設サッシ枠の下枠はレール部と室内側上面が同一高さで、かつ建物躯体に固着した下取付部材の室外側部に連結され、
前記下取付部材の上面は、下枠と室内側部とに連続した平坦面で、かつ前記下枠の室内側上面と同一高さである請求項１，２，３いずれか一項に記載の改装サッシ。
【発明の詳細な説明】
【０００１】
【発明の属する技術分野】
本発明は、主として集合住宅の建物躯体に既に取付けられている既設サッシを新らしい新設サッシに改装する改装サッシに関する。
【０００２】
【従来の技術】
改装サッシとしては種々のものが提案されている。
例えば、特許文献１に示すように、既設サッシの既設サッシ枠を利用して新設サッシ枠を、建物躯体の室外側面に取付け、この新設サッシ枠に内障子と外障子を面内方向に引き違いに装着したスライデイングタイプの改装サッシが提案されている。
具体的には、既設上枠と建物躯体の室外側面に亘って上枠アタッチメントを取付け、既設下枠と建物躯体の室外側面に亘って下枠アタッチメントを取付け、既設縦枠と建物躯体の室外側面に亘って縦枠アタッチメントを取付ける。前記上枠アタッチメント、下枠アタッチメント、縦枠アタッチメントに新設サッシ枠の新設上枠、新設下枠、新設縦枠をそれぞれ取付けた改装サッシである。
【０００３】
【特許文献１】
実公昭６３−１３３５１号公報
【０００４】
【発明が解決しようとする課題】
スライデイングタイプのサッシにおける開口幅は、内障子と外障子を閉じた時の召合せ部の重なり寸法等によってサッシ枠の開口見付け寸法の半分以下である。
前述した従来の改装サッシは、既設サッシ枠の開口見付け寸法と新設サッシ枠の開口見付け寸法がほぼ同一であるから、新設サッシの内障子又は外障子を開放した時の開口幅が既設サッシ枠の開口幅と同じで、既設サッシ枠の開口見付け寸法の半分よりも小さい。
前述の説明において、既設サッシ枠、新設サッシ枠の開口見付け寸法とは左右の縦枠の内面間の最も小さい寸法である。前記開口幅とは新設サッシ枠における一方の縦枠の内面と障子の一方の縦框の内面との間の最も小さい寸法である。
【０００５】
このために、既設サッシ枠の開口見付け寸法が小さく、その開口幅が小さい場合には、新設サッシの開口幅が小さく、車椅子が通行できないことがある。
例えば、集合住宅における建物躯体のサッシ取付開口部の見付け寸法は強度等の関係で小さく、その既設サッシ枠の開口見付け寸法は小さいから開口幅が小さく、その集合住宅のテラスに面した既設サッシを前述した新設サッシとした場合には、その新設サッシの開口幅は小さく車椅子が通行できず、車椅子に座った人がテラスに出入りできない。
【０００６】
このことを解消するには、建物躯体のサッシ取付開口部から既設サッシ枠を取り外し、そのサッシ取付開口部を大きくすることが考えられるが、既設サッシ枠の取り外し作業、サッシ取付開口部を大きくする作業は大変面倒で時間と経費がかかるし、サッシ取付開口部を大きくすると建物躯体の強度が低下するのでサッシ取付開口部を大きくできない場合がある。
【０００７】
本発明は、前述の課題に鑑みなされたものであり、その目的は、既設サッシ枠を残存したままで、新設サッシの開口幅を既設サッシの開口幅よりも大きくできるようにした改装サッシを提供することである。
【０００８】
【課題を解決するための手段】
第１の発明は、建物躯体のサッシ取付開口部に既設サッシ枠が残存し、
前記建物躯体の室外側面に、前記既設サッシ枠の開口見付け寸法よりも大きな開口見付け寸法の新設サッシ枠が取付けてあり、
この新設サッシ枠に障子が面内方向に開閉移動自在に装着されてスライデイングタイプの新設サッシを構成し、
前記面内方向に開閉移動する障子の見付け寸法は、前記新設サッシ枠の開口見付け寸法の半分程度で、既設サッシ枠の開口見付け寸法の半分よりも大きいことを特徴とする改装サッシである。
【０００９】
第２の発明は、第１の発明において新設サッシ枠の室外側部に可動障子が面内方向に開閉移動自在に装着され、室内側部に固定障子が固定されて片引き式のスライデイングタイプの改装サッシとし、
前記固定障子は既設サッシ枠の面内方向一端寄り部分を覆い、
前記開放した可動障子は建物躯体の室外側面と対向し、かつ固定障子の室外側面と重なり合うようにした改装サッシである。
【００１０】
第３の発明は、第２の発明において新設サッシ枠の一方の縦枠は一方の既設縦枠と面内方向とほぼ同一位置で、他方の縦枠は他方の既設縦枠と面内方向に離隔した位置であり、
固定障子の見付け寸法は既設サッシ枠の開口見付け寸法の半分以下で、その固定障子の見付け方向一端部が他方の既設縦枠と面内方向にほぼ同一位置で、見付け方向他端部が一方の既設縦枠寄り位置として固定してあり、
可動障子を閉じた時に、その召合せ部が固定障子の見付け方向他端部と重なり合うようにした改装サッシである。
【００１１】
第４の発明は、第１又は第２又は第３の発明において新設サッシ枠の下枠はレール部と室内側上面が同一高さで、かつ建物躯体に固着した下取付部材の室外側部に連結され、
前記下取付部材の上面は、下枠と室内側部とに連続した平坦面で、かつ前記下枠の室内側上面と同一高さである改装サッシである。
【００１２】
【作　用】
第１の発明によれば、既設サッシ枠が残存したままで、新設サッシの開口幅を既設サッシ枠の開口幅よりも大きくできる。
よって、開口見付け寸法の小さな既設サッシ枠を備えた既設サッシを開口幅の大きなスライデイングタイプの新設サッシに改装できるから、例えば、集合住宅の既設サッシを車椅子が通過できる新設サッシに改装できる。
【００１３】
第２の発明によれば、既設サッシ枠の面内方向一端寄り部分が固定障子で覆われ、可動障子は固定障子の室外側面に重なり合うように開放し、かつ建物躯体の室外側面と対向するから、既設サッシ枠内から開放した可動障子と建物躯体の室外側面との間に物が入り込むことが固定障子で防止され、可動障子と建物躯体の室外側面との間に物がはさまれることがない。
【００１４】
第３の発明によれば、固定障子の見付け寸法が可動障子の見付け寸法よりも小さく、固定障子が安価であるから、安価な改装サッシである。
【００１５】
第４の発明によれば、改装サッシの下内面が下枠から室内側部まで連続した同一高さの平坦面であるから、車椅子がスムーズに走行できる。
【００１６】
【発明の実施の形態】
本発明の実施の形態を図１と図２に基づいて説明する。
建物躯体１のサッシ取付開口部２に既設サッシ枠３が残存している。
前記既設サッシ枠３はサッシ取付開口部２の上内面２ａに取付けられいる既設上枠４と、下内面２ｂに取付られている既設下枠５と、左右の縦内面２ｃに取付けられている左右の既設縦枠６で方形状である。
この実施の形態では、建物躯体１が鉄筋コンクリートで、既設サッシ枠３は内付けで、かつサッシ取付開口部２の室内寄りに取付けてある。その既設上枠４、既設下枠５、既設縦枠６はスチール製である。例えば、集合住宅のベランダに面したサッシである。
なお、建物躯体１は木造などでも良いし、既設サッシ枠３は半外付けなどでも良いし、その既設上枠、既設下枠、既設縦枠は木製、アルミ製などであっても良い。
【００１７】
新設サッシ枠１０は建物躯体１の室外側面１ａに取付けてある。
該新設サッシ枠１０は、上枠１１と下枠１２と左右の縦枠１３で方形状で、その上枠１１と縦枠１３はアルミ製で、下枠１２はステンレス製であるが、これに限ることはない。
この新設サッシ枠１０の開口見付け寸法（左右の縦枠１３の内面間の寸法）は、前記既設サッシ枠３の開口見付け寸法（左右の既設縦枠６の内面間の寸法）よりも大きい。
前記新設サッシ枠１０には障子が装着されてスライデイングタイプの新設サッシを構成している。この面内方向に開閉移動する障子の見付け寸法は新設サッシ枠１０の開口見付け寸法の半分程度で、既設サッシ枠３の開口見付け寸法の半分よりも大きい。
前記新設サッシの開口幅は既設サッシ枠３の開口見付け寸法の半分程度で、既設サッシの開口幅よりも大きい。なお、半分程度とは半分、半分よりも若干小さい、半分よりも大きいことである。
【００１８】
このようであるから、既設サッシ枠３を残存したままで、新設サッシの開口幅を既設サッシ枠３の開口見付け寸法の半分程度にできるから、新設サッシの開口幅を既設サッシの開口幅よりも大きくできる。
例えば、開口見付け寸法が１４００ｍｍの既設サッシ枠の開口幅は６００ｍｍ程度であるが、この既設サッシ枠に開口見付け寸法１８００ｍｍの新設サッシ枠を取付けることで、新設サッシの開口幅を７５０ｍｍ以上とすることができ、車椅子がスムーズに通ることができる。
【００１９】
この実施の形態では、新設サッシ枠１０の室外側部に可動障子１４、室内側部に固定障子１５が固定され、片引き式のスライデイングタイプの改装サッシとしてある。
前記可動障子１４の見付け寸法は新設サッシ枠１０の見付け寸法の半分程度で既設サッシ枠３の見付け寸法の半分よりも大きい。
前記固定障子１５の見付け方向一端部は建物躯体１の室外側面１ａと対向し、見付け方向他端部はサッシ取付開口部２と対向するように突出し、固定障子１５はサッシ取付開口部２（つまり、既設サッシ枠３）の他方の既設縦枠６寄り部分、つまり、面内方向一端寄り部分を覆っている。
前記固定障子１５の既設サッシ枠３内に突出した部分の見付け寸法は、既設サッシ枠３の開口見付け寸法の半分以下である。
そして、開放した可動障子１４は建物躯体１の室外側面１ａと対向し、かつ固定障子１５の室外側面と重なり合うようにしてある。
このようであるから、既設サッシ枠３内から建物躯体１の室外側面１ａと開放した可動障子１４との間に物が入り込むことが固定障子１５で防止され、可動障子１４を開閉する際にその可動障子１４と建物躯体１の室外側面１ａとの間に物がはさまれたりすることがない。
また、可動障子１４を図２に示すように左側に開放する新設サッシとしたり、右側に開放する新設サッシとすることができる。
【００２０】
この実施の形態では、新設サッシ枠１０の一方の縦枠１３は既設サッシ枠３の一方の既設縦枠６と面内方向にほぼ同一位置で、他方の縦枠１３は他方の既設縦枠６よりも面内方向に離隔した位置である。
前記可動障子１４の見付け寸法は新設サッシ枠１０の見付け寸法の半分程度で、既設サッシ枠３の見付け寸法の半分よりも大きく、その可動障子１４を閉じた時に戸当り部が一方の縦枠１３に当接する。
前記固定障子１５の見付け寸法は既設サッシ枠３の見付け寸法よりも小さく、見付け方向一端部が他方の既設縦枠６と面内方向にほぼ同一位置で、見付け方向他端部が一方の縦枠１３寄り位置として固定してある。可動障子１４を閉じた時に、可動障子１４の召合せ部と固定障子１５の他端部が重なり合う。つまり、室内外側方向に重なり合う。
このようであるから、固定障子１５の見付け寸法が小さく安価であるから、安価な改装サッシである。
なお、固定障子１５の見付け方向一端部を新設サッシ枠１０の一方の縦枠１３に接するようにしても良い。
【００２１】
また、前記固定障子１５の見付け方向他端部と新設サッシ枠１０の他方の縦枠１３とに亘って化粧板１６が取付けられて外観の見栄えを良くしている。
【００２２】
次に各部の具体形状の一例を説明するが、これに限ることはない。
図１に示すように、上枠１１は建物躯体１に固着した上取付部材２０に連結される。例えば、建物躯体１のサッシ取付開口部２の上内面２ａに固着具（ホールインアンカー）２１で固着した第１部材２２と、この第１部材２２に固着した第２部材２３、第３部材２４と、第２部材２３に固着したアンカー金具２５で上取付部材２０とする。
前記アンカー金具２５を上枠本体１１ａに係止して連結し、第３部材２４に上枠カバー１１ｂに連結する。例えばビス２６で連結する。
つまり、上枠本体１１ａは上面部にアンカー金具２５を係止して連結する係止片を有する鉄筋コンクリート用の上枠であり、この上枠本体１１ａであるとアンカー金具２５が目視されると共に、上枠本体１１ａと建物躯体１の室外側面１ａとの間を水密できない。
このために、上枠本体１１ａに上枠カバー１１ｂを連結、例えばビス２７で連結してアンカー金具２５をカバーし、この上枠カバー１１ｂと建物躯体１の室外側面１ａとの間をシール材２８でシールして水密する。
【００２３】
このようにすることで、鉄筋コンクリート用の上枠を用いて外観を見栄え良くできると共に、上枠１１と建物躯体１との間を水密できる。
【００２４】
前記既設上枠４と上枠１１（上枠本体１１ａ）とに亘って上横カバー材２９が取付けてあり、この上横カバー材２９で既設上枠４、上取付部材２０、上内面２ａなどをカバーして室内から見えないようにしてある。
【００２５】
前記下枠１２は図１に示すように、建物躯体１に固着した下取付部材３０に連結される。
前記下枠１２のレール１２ａと室内側上面１２ｂは同一高さで、前記下取付部材３０の上面３０ａは下枠１２から室内側部まで連続した平坦面で、かつ前記下枠１２の室内側上面１２ｂと同一高さである。
このようであるから、改装サッシの開口部下内面は平坦面であるから、車椅子がスムーズに走行できる。
例えば、建物躯体１のサッシ取付開口部２の下内面２ｂが水平に対して斜めとなっている場合でも、前述のように下枠１２を取付けることで、改装サッシの開口部下内面を平坦面として車椅子がスムーズに走行できる。
【００２６】
例えば、建物躯体１のサッシ取付開口部２の下内面２ｂに固着具（ホールインアンカー）３１で固着した複数のベース部材３２と、この各ベース部材３２に固着した複数の第１部材３３と、この各第１部材３３の室外側部に亘って固着した長尺の第２部材３４と、前記第１部材３３に固着した第４部材３５で下取付部材３０とする。
前記第２部材３４に下枠１２を連結してある。前記第４部材３５は下枠１２から室内側部まで連続し、かつ上面３５ａが平坦面で、その上面３５ａが下枠１２の室内側上面１２ｂと同一高さである。
つまり、第４部材３５の上面が下取付部材３０の上面３０ａである。
【００２７】
このようであるから、下枠１２を乾式工法で取付けできるので、モルタル仕上げをする工法に比べて短かい時間で下枠１２を取付けできるから、施工効率が良い。
【００２８】
前記第１部材３３は中空形状、例えば矩形断面の中空形状で、その室外側上面が階段形状で、第２部材３４は第１部材３３の室外側上面と合致した階段形状に折り曲げられた板状で、その第２部材３４が第１部材３３の室外側上面に接するようにしてビス３６で固着してある。
前記下枠１２の室外側下面は第２部材３４と合致した階段形状で、その室内側下面が第２部材３４に載置され、かつビス３７で固着してある。
このようであるから、下枠１２を強固に取付けできる。
【００２９】
前記第２部材３４の下部に下部カバー材３８が取付けてあり、この下部カバー３８で下取付部材３０が室外から見えないようにして外観の見栄えを良くしている。なお、下部カバー材３８はアングル材３９で第１部材３３に連結して、取付強度をアップしてある。
【００３０】
前記一方の縦枠１３は図２に示すように、建物躯体１に固着した縦取付部材４０に連結される。例えば、建物躯体１のサッシ取付開口部２の縦内面２ｃに固着具（ホールインアンカー）４１で固着した第１部材４２と、この第１部材４２に固着した第２部材４３、第３部材４４と、第２部材４３に固着したアンカー金具４５で縦取付部材４０とする。
前記アンカー金具４５を縦枠本体１３ａに係止して連結し、第３部材４４に縦枠カバー１３ｂに連結する。例えばビス４６で連結する。
つまり、縦枠本体１３ａは側面部にアンカー金具４５を係止して連結する係止片を有する鉄筋コンクリート用の縦枠であり、この縦枠本体１３ａであるとアンカー金具４５が目視されると共に、縦枠本体１３ａと建物躯体１の室外側面１ａとの間を水密できない。
このために、縦枠本体１３ａに縦枠カバー１３ｂを連結、例えばビス４７で連結してアンカー金具４５をカバーし、この縦枠カバー１３ｂと建物躯体１の室外側面１ａとの間をシール材４８でシールして水密する。
【００３１】
このようにすることで、鉄筋コンクリート用の縦枠を用いて外観を見栄え良くできると共に、縦枠１３と建物躯体１との間を水密できる。
【００３２】
前記既設縦枠６と縦枠１３（縦枠本体１３ａ）とに亘って縦カバー材４９が取付けてあり、この縦カバー材４９で既設縦枠６、縦取付部材４０、縦内面２ｃなどをカバーして室内から見えないようにしてある。
【００３３】
前記他方の縦枠１３は、前述した一方の縦枠１３と同様の縦枠本体１３ａと縦枠カバー１３ｂを備えている。
この他方の縦枠１３を取付ける縦取付部材５０は、前記建物躯体１の室外側面１ａに固着具（ホールインアンカー）５１で固着した第１部材５２と、その固着具５１に固着した第２部材５３と、第２部材５３に固着したアンカー金具５４を備えている。そのアンカー金具５４が縦枠本体１３ａに係止して連結され、第１部材５２に縦枠カバー１３ｂが連結、例えばビス５５で連結される。
このようであるから、縦枠本体１３ａの側面部、縦取付部材５０を縦枠カバー１３ｂでカバーして外観の見栄えを良くし、縦枠カバー１３ｂと建物躯体１の室外側面１ａとの間をシール材５６で水密することができる。
【００３４】
前記可動障子１４は上框６０と下框６１と戸当り框６２と召合せ框６３で方形状で、その内部にガラス６４が装着してある。
前記戸当り框６２の室外側部に彫込み引手６５が取付けられ、室内側部に引手６６が取付けてあり、可動障子１４は室外と室内から容易に開閉できるようにしてある。
【００３５】
前記固定障子１５は上框７０と下框７１と戸当り框７２と召合せ框７３で方形状で、その内部にガラス７４が装着してある。
前記下框７１が下枠１２の室内側部、例えば室内側上面１２ｂに固着される。例えば、連結片７５とビス７６で連結される。
前記戸当り框７２が他方の既設縦枠６と面内方向にほぼ同一位置で、前述の面内方向一端部であり、この戸当り框７２と前記他方の既設縦枠６とに亘って前述の縦カバー材４９が取付けてある。これによって、他方の既設縦枠６、他方の縦内面２ｃをカバーして見栄え良くしている。なお、この戸当り框７２を他方の縦枠１３に接するように取付けても良い。
前記召合せ框７３が前述の面内方向の他端部でサッシ取付開口部２における一方の縦枠１３寄りに突出している。
【００３６】
前記戸当り框７２と前記他方の縦枠１３の縦枠本体１３ａとに亘って前述の化粧板１６が取付けてある。例えば、戸当り框７２にビス止めした連結片７７にビス７８で連結され、縦枠本体１３ａにビス止めした連結片７９にビス８０で連結される。
この化粧板１６の上部は上枠１１の室内側部、例えば上枠本体１１ａの室内側部に連結片とビスで連結され、下部は下枠１２の室内側部、例えば下枠１２の室内側上面１２ｂに連結片とビスで連結されている。
そして、各連結部はシール材８１でそれぞれ水密され、化粧板１６の連結部から雨水が室内側に浸入しないようにしてある。
【００３７】
なお、図１、図２において既設サッシ枠３の室内側部には回り縁８２が取付けてあり、その回り縁８２に内装材８３、床材８４が取付けてある。前記下取付部材３０の第４部材３５の室内側部は、その回り縁８２に固着してある。
【００３８】
既設サッシを新設サッシに改装する際には、既設サッシ枠３から障子を取り外し、既設上枠４、既設下枠５、既設縦枠６から不要な部材を取り外し、残存した部分を防錆処理する。
この後に新設サッシ枠１０を取付け、最後に上横カバー材２９、縦カバー材４９を取付ける。
【００３９】
前記固定障子１５の見付け寸法を可動障子１４と同一としても良い。この場合には化粧板１６が不要である。
また、固定障子１５を可動障子としても良い。
【００４０】
【発明の効果】
請求項１に係る発明によれば、既設サッシ枠が残存したままで、新設サッシの開口幅を既設サッシの開口幅よりも大きくできる。
よって、開口見付け寸法の小さな既設サッシ枠を備えた既設サッシを開口幅の大きなスライデイングタイプの新設サッシに改装できるから、例えば、集合住宅の既設サッシを車椅子が通過できる新設サッシに改装できる。
【００４１】
請求項２に係る発明によれば、既設サッシ枠の面内方向一端寄り部分が固定障子で覆われ、可動障子は固定障子の室外側面に重なり合うように開放し、かつ建物躯体の室外側面と対向するから既設サッシ枠内から開放した可動障子と建物躯体の室外側面との間に物が入り込むことが固定障子で防止され、可動障子と建物躯体の室外側面との間に物がはさまれることがない。
【００４２】
請求項３に係る発明によれば、固定障子の見付け寸法が可動障子の見付け寸法よりも小さく、固定障子が安価であるから、安価な改装サッシである。
【００４３】
請求項４に係る発明によれば、改装サッシの下内面が下枠から室内側部まで連続した同一高さの平坦面であるから、車椅子がスムーズに走行できる。
【図面の簡単な説明】
【図１】本発明の実施の形態を示す改装サッシの縦断面図である。
【図２】本発明の実施の形態を示す改装サッシの横断面図である。
【符号の説明】
１…建物躯体、１ａ…室外側面、２…サッシ取付開口部、３…既設サッシ枠、４…既設上枠、５…既設下枠、６…既設縦枠、１０…新設サッシ枠、１１…上枠、１２…下枠、１２ａ…レール部、１２ｂ…室内側上面、１３…縦枠、１４…可動障子、１５…固定障子、２０…上取付部材、３０…下取付部材、３０ａ…上面、４０…縦取付部材、５０…縦取付部材。
【図１】
2004124618.tif 000003
【図２】
2004124618.tif 000004